(57)【要約】
　　【課題】　　形状が簡単であって軽量であり、しかも十分な強度を有しており、更に多量生産を可能にして低コストにする。
　　【解決手段】　　陳列すべき商品を置く平板状の商品載置台とこの商品載置台の前面であって商品載置台に対しほぼ垂直方向に伸びる前面板と、前面板の上側端から斜め下方に伸びる表示板とより構成され、これら商品載置台、前面板、表示板をポリエチレンテレフタレート、塩化ビニール等により一体に形成した。また、商品載置台と前面板あるいは商品載置台と表示板を結ぶ側壁板を一体に設けて、商品が商品載置台外に移動する等を防止し、又商品陳列台自体の強度を大にする。
【選択図】　　　　　　図１
0003100037.tif 000002
【実用新案登録請求の範囲】
【請求項１】
陳列すべき商品を置く平板状の商品載置台と、前記商品載置台の前面でこれに対しほぼ垂直方向に伸びる前面板と、前記前面板の上側端から斜め下方に伸びる表示板とにて構成され、商品載置台と前面板と表示板が薄いポリエチレンテレフタレート、塩化ビニール等にて一体に形成されたことを特徴とする商品陳列用具。
【請求項２】
前記商品載置台と前記前面板とを両端部にて接続する側壁板を商品載置台、前面板と同一材料にて一体に形成した請求項１の商品陳列用具。
【請求項３】
前記側壁板が断面Ｌ字状をなす請求項２の商品陳列用具。　　
【請求項４】
前記商品載置台と前記表示板とを両端部にて接続する第１の側壁板を商品載置台、表示板と同一材料にて一体に形成した請求項１の商品陳列用具。
【請求項５】
前記商品載置台と前記前面板とを両端部近傍にて接続する第２の側壁板を商品載置台、前面板と同一材料にて一体に形成した請求項４の商品陳列用具。
【請求項６】
前記第１の側壁板と第２の側壁板とを接続する接続部を有し、第１、第２の側壁板と接続部とにより、断面がコの字状をなし商品載置台側に開口を有する凹陥部を形成する請求項５の商品陳列用具。
【請求項７】
前記商品載置台の両端近傍に夫々商品載置台に対し直角方向に伸びる側壁板を有し、前記側壁板と同一材料にて一体に形成された請求項１の商品陳列用具。
【請求項８】
前記側壁板が断面コの字状をなす請求項７の商品陳列用具。
【考案の詳細な説明】
【技術分野】
【０００１】
　　本考案は、商品陳列用具に関するものである。
【背景技術】
【０００２】
　　従来の商品陳列用具は、例えば、図４に示すような構成であって、商品を置く商品載置台２１とその先端部の前面板２２と、この前面板２２より斜め下方に伸びる平面状あるいは曲面状をなしその表面に商品名あるいは商品に関する情報を表示する表示板２３とより構成されている。
【０００３】
　　このような、商品陳列用具は、従来、厚紙等にて形成され、その表示板１２に前述のような陳列する商品の名前やその商品に関する情報を印刷等の手段にて表示する構成であった。
【０００４】
　　しかし、このような商品陳列用具は、安価に作り得るが紙製であるため強度がなく、耐久性に欠けていた。また、水や液体に弱い欠点を有している。
【０００５】
　　このような欠点を解消するために、合成樹脂製の商品陳列用具が開発された。
【０００６】
　　それは、ポリプロピレン等のような合成樹脂材料にて成形されたものや、古紙にポリプロピレン等の合成樹脂を配合した材料を用いて成形したもので、強度、耐久性、水や液体等の湿気等に強い点では好ましいが、コスト高である。また表示板への直接の印刷が困難であり、また可能であっても高価である。そのため、商品等の表示は、別の印刷物に印刷し、それを表示板上に取り付けるため、取り付け構造が複雑になり、一層コスト高になる。
【０００７】
　　また、比較的重量が大であり、特に大型の商品陳列用具の場合、一層重量が大になり、設置等が容易ではない。
【考案の開示】
【考案が解決しようとする課題】
【０００８】
　　本考案は、形状が簡単でありながら、薄くて軽量でしかも十分な強度を保持し得る商品陳列具を提供するものである。
【課題を解決するための手段】
【０００９】
　　本考案の商品陳列用具は、商品載置台と前面板と表示板とを一体に形成したもので、材料としてポリエチレンテレフタレート（ＰＥＴ）、塩化ビニール等を用いた商品載置台等の各部が薄く形成されたものである。
【００１０】
　　そのため、本考案の商品陳列用具は、極めて軽量であって、しかも所望の強度を保ち得るものである。更に、真空成形にて簡単に成形でき、多量生産が可能であって、そのために極めて低コストに生産でき安価に作り得る。
【００１１】
　　また、本考案の商品陳列用具は、後に説明する実施の形態のような構造の商品陳列時の商品の移動や落下を防止する側壁板を形成することにより強度も大にすることを可能にしたもので、しかも、商品載置台、前面板、表示板、側壁板のすべてを一体に形成することができ、前述の材料であるポリエチレンテレフタレート（ＰＥＴ）や塩化ビニール等を用いて真空成形にて極めて簡単で大量生産が可能な構造である。
【考案の効果】
【００１２】
　　本考案の商品陳列用具は、各部分が薄い板状であって、軽量であり、しかも一定の強度を有し耐久性に優れている。特に側壁板を設けることにより商品の載置台からの移動や落下を防止すると共に一層強度を大にすることが可能である。しかも真空成形により簡単に製造し得るため、多量生産に適し、低コストになし得る等の効果がある。
【考案を実施するための最良の形態】
【００１３】
　　次に図にもとづいて、本考案の実施の形態について説明する。
【００１４】
　　図１の（Ａ）、（Ｂ）は、本考案の第１の実施の形態を示す。この図において、１は商品を設置する商品載置台、２は前記商品載置台１の前面に商品載置台１に対し垂直に上方に伸びる前面板、３は前面板２より斜め下方に伸びる曲面状の（断面が曲線をなす）表示板で、この表示板３に商品に関する情報を記載した印刷物を貼ることにより表示する。４は商品載置台１と前面板２とを接続する三角形状の側壁板である。
【００１５】
　　この図１は、（Ａ）が表示板３の側からまた（Ｂ）が商品載置台１の側から見た図であって、いずれも本考案の商品陳列用具の一方の端部のみを示した図であって、この商品陳列用具の商品載置台１と前面板２と表示板３とが図に表われた一体化した形状のまま図において左から右へ所望の長さだけ伸び、図示されていない右側の端は、図面の最も左側の部分のように側壁板４が一体に形成された構成である。
【００１６】
　　この図１に示す第１の実施の形態の商品陳列用具は、その左右両端部分において、商品載置台１とそれに対して直角に伸びる前面板２とを連結する３角形状の側壁板４を設けることにより、商品の移動を防止し、商品が陳列用具外に出て落下するのを防止するようにしている。また、この側壁板４を設けることにより一層強度が大になるようになる。つまり、この側壁板４は、補強板の役割をも有している。
【００１７】
　　更に、この図１に示す第１の実施の形態のように３角形状の側壁板４の一辺に補強部５を設けることによりこの側壁板４と補強部５とがその断面形状をＬ字状をなすようにして、更に強度が大になるようにしている。
【００１８】
　　この第１の実施の形態の商品陳列用具は、ポリエチレンテレフタレート（ＰＥＴ）や塩化ビニール等にて商品載置台１、前面板２、表示板３等が一体に形成されており、各部分が比較的薄い板状をなし、したがって、全体が軽量である。また、その左右端部に第１、第２の側壁板６、７および補強部８を設けた構成であるが、図面から明らかなように真空成形により簡単にまた多量に生産することができる。
【００１９】
　　また、この第１の実施の形態において、補強部５を設けずに、図１の（Ｃ）のように商品載置台１の端部１ａと前面板２の端部２ａとを結ぶ側壁面４を設ける形状でもよい。
【００２０】
　　図２は、本考案の商品陳列用具の第２の実施の形態を示す。この図において、（Ａ）は表示板側から見た斜視図、（Ｂ）は商品載置台側から見た斜視図である。これら図２の（Ａ）、（Ｂ）共に一方の側の一部分を示し、夫々図において左側から右側へ同一形状にて所望の長さだけ伸びており、また全体としてほぼ左右対称の形状である。
【００２１】
　　この第２の実施の形態の商品陳列用具は、商品載置台１の端部と表示板３の端部を接続する側壁板６を設けたことを基本とする。そして更に第１の実施の形態にて用いられている商品載置台１と前面板２とを結ぶ他の側壁板７を設け、商品載置台１と表示板３とを接続する側壁板（第１の側壁板）６と商品載置台１と前面板２とを接続する側壁板（第２の側壁板）７とを結ぶ接続部（補強部）８を設けた形状である。
【００２２】
　　この第２の実施の形態の商品陳列用具も、側壁板６、７により、商品の移動、落下等を防止すると共に、薄い板状の物であるにも拘らず、十分な強度を有する。
【００２３】
　　特に、商品陳列用具の両端部分に設けられた第１の側壁板６と第２の側壁板７と接続部８とにより形成される断面がほぼコの字状の凹陥部Ａによって、変形の少ない極めて強度が大である商品陳列用具になし得る。
【００２４】
　　この第２の実施の形態の商品陳列用具も、ポリエチレンテレフタレート（ＰＥＴ）等を用いて真空成形により商品載置台等の各部分を薄い板状に一体に形成し得る。
【００２５】
　　図３は本考案の第３の実施の形態を示す。この図３において、（Ａ）は本考案の商品陳列台を上方より見た図、（Ｂ）は本考案の商品陳列台を横方向｛（Ａ）の図面で下方｝より見た図、（Ｃ）は（Ａ）または（Ｂ）において左側より見た図である。
【００２６】
　　この第３の実施の形態の陳列台は、商品載置台１が前面板２や表示板３に比べて長い形状である縦長の形状の商品陳列台である。
【００２７】
　　この第３の実施の形態は、商品載置台１の長い方の辺に沿って、載置台１と表示板３を結像する第１の側壁板１１が形成されている。更に、商品を置く部分には、第２、第３の側壁板１２、１３が設けられている。これにより商品が商品載置台１から落ちることのないようにすると共に、商品載置台等を薄くしても十分な強度が得られるようにしてある。更に第２、第３の側壁板９が図３の（Ｃ）に示すように断面コの字状をなし、これによって強度が一層大になるようにしている。
【００２８】
　　この第３の実施の形態の商品陳列用具も、ポリエチレンテレフタレート（ＰＥＴ）や塩化ビニール等を材料として真空成形により薄くしてしかも一定の強度を有する。
【００２９】
　　つまり、この実施の形態の商品陳列用具もポリエチレンテレフタレート（ＰＥＴ）等により薄く形成されているために極めて軽量である。しかも、前述のように十分な強度を有し、耐久の点でも優れている。
【００３０】
　　尚、側壁板の面形状は、図示するものに限らない。例えば３角形以外の形状でもよい。
【図面の簡単な説明】
【００３１】
【図１】本考案の第１の実施の形態の構成を示す図
【図２】本考案の第２の実施の形態の構成を示す図
【図３】本考案の第３の実施の形態の構成を示す図
【図４】従来の商品陳列用具の構成を示す図
【符号の説明】
【００３２】
　１　　載置台
　２　　前面板
　３　　表示板
　４、６、７、１２、１３　　側壁板
【図１】
0003100037.tif 000003
【図２】
0003100037.tif 000004
【図３】
0003100037.tif 000005
【図４】
0003100037.tif 000006